(57)【要約】【課題】  指針の輝度不足を解消すると同時に、指針発光色の演色性を向上させることが可能な計器装置を提供する。【解決手段】  光源６と、この光源６からの光を受光する受光部４３を有しこの受光部４３からの光によって長手状に伸びる指示部４１が発光する透光性材料からなる指針４と、指示部４１が指示する指標部５１を有する表示板５とを備え、指針４が指示部４１の背面に形成される着色層４４と、この着色層４４の背面側に位置し指示部４１に導かれた光が着色層４４を通じて表示板５側に漏れるのを防止する遮光層４６とを有し、着色層４４と遮光層４６との間に着色層４４の下地となる下地層４５を設けた。【選択図】  図３
2005156483.tif 000002
【特許請求の範囲】
【請求項１】
光源と、
この光源からの光を受光する受光部を有しこの受光部からの光によって長手状に伸びる指示部が発光する透光性材料からなる指針と、
前記指示部が指示する指標部を有する表示板とを備え、
前記指針が前記指示部の背面に形成される着色層と、この着色層の背面側に位置し前記指示部に導かれた光が前記着色層を通じて前記表示板側に漏れるのを防止する遮光層とを有し、
前記着色層と前記遮光層との間に前記着色層の下地となる下地層を設けたことを特徴とする計器装置。
【請求項２】
前記下地層が白色ホットスタンプ層からなることを特徴とする請求項１記載の計器装置。
【発明の詳細な説明】
【技術分野】
【０００１】
本発明は、例えば自動車を代表とする各種車両に搭載される計器装置に関する。
【背景技術】
【０００２】
従来、この種の計器装置にあっては、例えば下記特許文献１に記載されているものが知られている。この特許文献１に記載の計器装置は、光源と、この光源からの光を受光する受光部を有しこの受光部からの光によって長手状に伸びる指針部が発光する透光性材料からなる指針本体と、指針部が指示する目盛や文字からなる略円環状表示パターンを有する目盛り盤とを備えている。そして、指針本体の指針部が、その背面に形成される橙色のホットスタンプ層からなる着色層と、この着色層の背面に積層形成される暗色からなる遮光層とを有し、受光部を通じて指針部内に導光された光は着色層により着色されることで指針部が橙色に発光すると共に、指針部内に導光された光の一部は着色層から出射して遮光層内に入射し、この入射光は遮光層によって遮光（吸収）され遮光層の背面側に位置する目盛り盤側には漏れないようになっていた。
【特許文献１】特開２００１−２７５５３号公報
【発明の開示】
【発明が解決しようとする課題】
【０００３】
しかしながら、特許文献１に記載の計器装置の場合、受光部を通じて指針部内に導光された光が着色層によって着色され、この着色光で指針部を橙色に発光させるにあたって、指針部内に導光された光の一部が着色層の背面から出射し遮光層内に入射する構成であるため、この入射光が遮光層によって吸収されることで、運転者側に向かう光量が減少し、これにより指針部の輝度が低下してしまうという問題があった。また、指針部が着色層によって着色された光で発光したとき、着色層の直下には暗色遮光層が積層形成されているため、運転者側には指針部発光色が暗色遮光層の影響を受けて黒みがかった橙色により視認されるようになり、これにより演色性が低下してしまうという問題があった。
そこで本発明は、前述の課題に対して対処するため、指針の輝度不足を解消すると同時に、指針発光色の演色性を向上させることが可能な計器装置の提供を目的とするものである。
【課題を解決するための手段】
【０００４】
本発明は、光源と、この光源からの光を受光する受光部を有しこの受光部からの光によって長手状に伸びる指示部が発光する透光性材料からなる指針と、前記指示部が指示する指標部を有する表示板とを備え、前記指針が前記指示部の背面に形成される着色層と、この着色層の背面側に位置し前記指示部に導かれた光が前記着色層を通じて前記表示板側に漏れるのを防止する遮光層とを有し、前記着色層と前記遮光層との間に前記着色層の下地となる下地層を設けたことを特徴とする。
【０００５】
また本発明は、前記下地層が白色ホットスタンプ層からなることを特徴とする。
【発明の効果】
【０００６】
本発明によれば、初期の目的を達成でき、指針の輝度不足を解消すると同時に、指針発光色の演色性を向上させることが可能な計器装置を提供できる。
【発明を実施するための最良の形態】
【０００７】
図１，図２において、本実施形態による計器装置は、回路基板１と、この回路基板１に導通装着され回転軸２が前方に延びる駆動装置３と、回転軸２にて回転駆動される指針４と、この指針４の背後に位置して回路基板１上に配置される表示板５と、指針４を照明する光源６と、表示板５を照明する表示用光源７と、回路基板１と表示板５との間に配置されるケース体８とから構成される。
【０００８】
回路基板１は、例えばガラスエポキシ系基材に配線パターン（図示せず）を施した硬質回路基板からなり、光源６と、表示用光源７と、駆動装置３を駆動・制御する駆動手段や抵抗、コンデンサ等の各種回路部品（図示せず）が前記配線パターンに導通接続されている。
【０００９】
駆動装置３は、可動磁石式計器またはステッピングモータからなり、回転軸２が回路基板１を貫通するように、その主要部が回路基板１の背後に装着され、且つ半田付け等の適宜導通手段により前記配線パターン（前記駆動手段）に電気接続される。
【００１０】
指針４は、回転軸２と略直交する方向に長手状（細長棒状）に伸び、表示板５の後述する指標部を指示する透光性合成樹脂からなる指示部４１と、この指示部４１の回転中心領域Ｒの外周を覆う遮光性合成樹脂からなるキャップ４２とを備えている。また、指針４の回転中心領域Ｒには、背後に配置された光源６から発せられる光を受光し、その光を指示部４１の先端側に反射導光する受光部４３が形成されている。
【００１１】
また、指示部４１の背面には図３に示すように、着色層４４と、下地層４５と、遮光層４６とが順次積層形成されている。着色層４４は、キャップ４２から露出する、つまり回転中心領域Ｒを除いた指示部４１の背面箇所に渡って一様に形成された例えば橙色のホットスタンプ層からなり、この着色層４４の背面には着色層４４の下地となる下地層４５が例えば明度の高い白色のホットスタンプ層により重ねて設けられいる。この下地層４５は着色層４４の背面から漏れる漏れ光を効率よく着色層４４に再び戻すための反射部としての機能を有している。
【００１２】
さらに、下地層４５の背面には例えば暗色や黒色の遮光性ホットスタンプ層からなる遮光層４６が重ねて設けられており、この遮光層４６は指示部４１内に導光された光が着色層４４並びに下地層４５を通じて指針４の背面側に位置する表示板５側に漏れるのを防止する機能を有している。
【００１３】
表示板５は、指針４の回転軌道に沿った円弧状の配列形状を有し指示部４１の指示対象となる目盛５１ａ，数字５１ｂからなる指標部５１と、この指標部５１の背景を形成する背景部５２とを有している。これら指標部５１、背景部５２は透光性合成樹脂からなる薄板状の基材５３の前面に形成された印刷層からなり、指標部５１は白色系の透光性インクにより形成され、背景部５２は黒色系の遮光性インクにより形成されている。なお、これら指標部５１、背景部５２の各印刷層はスクリーン印刷等の手段を用いて印刷形成されている。なお、５４は、回転軸２と指針４との連結箇所に対応する貫通部である。
【００１４】
光源６は、例えば赤色光を発するチップ型発光ダイオードからなり、指針４の回転中心領域Ｒに対応する回路基板１上に複数個配置され、指示部４１を発光させる発光体である。
【００１５】
表示用光源７は、例えば白色光を発するチップ型発光ダイオードからなり、ケース体８の後述する第１の反射部に対応する回路基板１の前方側に複数個配置され、指標部５１を発光させる発光体である。
【００１６】
ケース体８は、例えば白色系の合成樹脂からなり、回路基板１と表示板５との間に位置して表示板５を保持する保持体としての機能、光源６及び表示用光源７からの光を前方側に反射する反射部材としての機能等を有しており、表示板５の貫通部５４に対応し光源６からの光を指針４の受光部４３に導く開口部８１を有する筒状部８２と、筒状部８２を取り巻くように表示板５側に傾斜して延び表示用光源７と対向する第１の反射部８３と、筒状部８２の先端側に形成され表示板５の貫通部５４に嵌合する一対の係止爪８４と、表示用光源７を収納する開放部８５と、この開放部８５から外周に向けて表示板５に近接する皿形状の環状壁からなる第２の反射部８６と、この第２の反射部８６の外周を取り巻く周壁部８７とを備えている。
【００１７】
このような構成において、光源６及び表示用光源７が点灯すると、光源６から出た赤色光は、ケース体８の開口部８１並びに表示板５の貫通部５４を通って、指針４内にその回転中心領域Ｒの背後から入射する。この入射光は受光部４３を通じて指示部４１の先端側に反射導光され、着色層４４によって着色されるが、この場合、着色層４４の橙色は前記入射光により吸収されるため、指示部４１は光源６の発光色である赤色に発光する。ところで、指示部４１側に反射導光された光の一部は着色層４４を通過して着色層４４の背面に位置する白色の下地層４５側に漏れ、この漏れ光は下地層４５表面によって着色層４４側に反射される反射光と、下地層４４をさらに透過して下地層４５の背面に位置する遮光層４６側に至る光とに大別される。
【００１８】
着色層４４側に反射される反射光は、着色層４４を透過して、再び指示部４１内に戻されるため、指示部４１内に供給される光量が十分に確保され、このように着色層４４の下地となる下地層４５を形成することで指示部４１の輝度不足を解消することが可能となる。また、遮光層４６側に漏れる光は、遮光層４６によって吸収されるため、遮光層４６の背後に位置する表示板５側への光漏れが確実に阻止されるようになっている。
【００１９】
なお本実施形態では、指針４の直下に表示板５が配置されているため、指示部４１内に導光された光が指針４の背後から外部に漏れて表示板５側に映り込まないようにする目的で着色層４４の背後に遮光層４６を設け、さらに着色層４４と遮光層４６との間に下地層４５を介在させている。従って、着色層４４によって着色された指示部４１の赤色光が遮光層４６自体の色味の影響を直接受けずに、白色の下地層４５の影響を受けるので、従来のように指示部４１の発光色が黒みがかった色に変化するのが防止され、運転者側には指示部４１の発光色が前述のように光量の確保された赤色光を維持した状態で視認されるため、指針発光色の演色性（視認性）を向上させることが可能となる。
【００２０】
また、表示用光源７から出た白色光は、ケース体８の第１の反射部８３，第２の反射部８６を通じて基材５３内に供給され、この基材５３を通過した光が指標部５１内を透過することにより指標部５１の目盛５１ａ，数字５１ｂが白色に発光する。
【００２１】
また本実施形態では、下地層４５が白色ホットスタンプ層からなることにより、指示部４１内に供給される光量が十分に確保されるため、指示部４１をより明るく光輝させることができる。
【００２２】
また本実施形態では、下地層４５が白色ホットスタンプ層からなる場合について説明したが、下地層４５は白色に限らず、青色、赤色、黄色等の明色系のホットスタンプ層により設けてもよし、着色層４４と同色である橙色のホットスタンプ層により設けてもよい。
【００２３】
なお本実施形態では、着色層４４、下地層４５、遮光層４６の各層がそれぞれホットスタンプ層により設けられた場合について説明したが、例えば着色層４４、下地層４５、遮光層４６が予め順次積層形成された一枚の箔を用いて、この箔を着色層４４と指示部４１背面とが接触するように指示部４１に転写してもよい。
【図面の簡単な説明】
【００２４】
【図１】本発明の実施形態による計器装置の正面図である。
【図２】図１のＡ−Ａ断面図である。
【図３】図２中、一部を拡大して示す要部断面図である。
【符号の説明】
【００２５】
１    回路基板
２    回転軸
３    駆動装置
４    指針
５    表示板
６    光源
７    表示用光源
８    ケース体
４１    指示部
４２    キャップ
４３    受光部
４４    着色層
４５    下地層
４６    遮光層
５１    指標部
５４    貫通部
８１    開口部
８２    筒状部
Ｒ    回転中心領域
【図１】
2005156483.tif 000003
【図２】
2005156483.tif 000004
【図３】
2005156483.tif 000005